(57)【要約】【課題】対象物の配列に従って配置された投稿情報を含む出力情報を提供する。【解決手段】情報処理システム１は、対象物に関連付けられた投稿情報を取得する情報取得手段（１２１）と、対象物の配列に基づいて、取得した投稿情報の配列を決定する配列決定手段（１２６）と、決定した配列に従って配置された投稿情報を含む出力情報を出力する出力制御手段（１２２）と、を備える。【選択図】図１
2014075087.tif 000002
【特許請求の範囲】
【請求項１】
対象物に関連付けられた投稿情報を取得する情報取得手段と、対象物の配列に基づいて、前記取得した投稿情報の配列を決定する配列決定手段と、前記決定した配列に従って配置された投稿情報を含む出力情報を出力する出力制御手段と、を備えることを特徴とする情報処理システム。
【請求項２】
前記投稿情報のキーワードおよび投稿位置の少なくとも１つに基づいて、前記投稿情報に関連付けるべき対象物を特定する対象物特定手段をさらに備える、請求項１に記載の情報処理システム。
【請求項３】
前記対象物の配列は、道路ネットワーク、駅を経由する交通機関の交通ネットワーク、および前記交通機関の運行情報の少なくとも１つによって決まる、請求項１または２に記載の情報処理システム。
【請求項４】
前記対象物の配列は、前記対象物の位置によって決まる、請求項１乃至３の何れかに記載の情報処理システム。
【請求項５】
前記出力制御手段は、前記対象物の位置によって決まる第１系列に基づいて前記投稿情報を配置することにより、前記出力情報を作成する、請求項１乃至４の何れかに記載の情報処理システム。
【請求項６】
前記出力制御手段は、前記第１系列と、前記投稿情報の投稿時間によって決まる第２系列とに基づいて前記投稿情報を配置することにより、前記出力情報を作成する、請求項５に記載の情報処理システム。
【請求項７】
前記出力制御手段は、前記第１系列と、駅を経由する交通機関の路線によって決まる第３系列とに基づいて前記投稿情報を配置することにより、前記出力情報を作成する、請求項５または６に記載の情報処理システム。
【請求項８】
前記情報取得手段は、前記対象物に関連付けられたグループに関するグループ情報をさらに取得し、前記出力制御手段は、前記グループ情報をさらに含む前記出力情報を作成する、請求項１乃至７の何れかに記載の情報処理システム。
【請求項９】
前記グループ情報は、駅を経由する交通機関の路線情報である、請求項８に記載の情報処理システム。
【請求項１０】
対象物に関連付けられた投稿情報を取得する情報取得手段と、対象物の配列に基づいて、前記取得した投稿情報の配列を決定する配列決定手段と、前記決定した配列に従って配置された投稿情報を含む出力情報を出力する出力制御手段と、を備えることを特徴とする情報処理装置。
【請求項１１】
対象物に関連付けられた投稿情報を取得する情報取得手段と、対象物の配列に基づいて、前記取得した投稿情報の配列を決定する配列決定手段と、前記決定した配列に従って配置された投稿情報を含む出力情報を出力する出力制御手段と、を備えることを特徴とするサーバ。
【請求項１２】
対象物の配列に基づいて配置され、かつ、前記対象物に関連付けられた投稿情報を含む、出力情報を受信する通信制御手段と、前記受信した出力情報を表示する表示手段と、を備えることを特徴とする端末装置。
【請求項１３】
コンピュータに、対象物に関連付けられた投稿情報を取得するステップと、対象物の配列に基づいて、前記取得した投稿情報の配列を決定するステップと、前記決定した配列に従って配置された投稿情報を含む出力情報を出力するステップと、を実行させることを特徴とする情報処理方法。
【請求項１４】
コンピュータに、対象物に関連付けられた投稿情報を取得するステップと、対象物の配列に基づいて、前記取得した投稿情報の配列を決定するステップと、前記決定した配列に従って配置された投稿情報を含む出力情報を出力するステップと、を実行させることを特徴とするプログラム。
【発明の詳細な説明】
【技術分野】
【０００１】
本発明の実施形態は、情報処理システム、情報処理装置、サーバ、端末装置、情報処理方法、およびプログラムに関し、特に、投稿情報を対象物の配列に従って配置する、情報処理システム、情報処理装置、サーバ、端末装置、情報処理方法、およびプログラムに関する。
【背景技術】
【０００２】
従来、全ての投稿の中から、ユーザが感心のある駅（以下「注目駅」という）に対する投稿をリアルタイムに取得し、取得した投稿を表示する技術が知られている。また、特許文献１には、投稿記事を提供するページ上に、投稿内容に即した関連情報を、ユーザの興味に応じた態様で提供する技術が開示されている。
【先行技術文献】
【特許文献】
【０００３】
【特許文献１】特開２００３−３０１００号公報
【発明の概要】
【発明が解決しようとする課題】
【０００４】
しかしながら、従来技術では、注目駅に対する投稿および関連情報を得ることはできるが、注目駅に隣接する駅（以下「隣接駅」という）に対する投稿および関連情報を得ることはできない。すなわち、従来技術には、注目駅および隣接駅を含む路線全体を見渡せるような態様で情報を提供することができないために、ユーザは、状況の変化（例えば、回復の傾向、事故からの復旧の進捗など）を知ることができない、という問題があった。
【０００５】
本発明は、上記の問題に鑑みてなされたものである。本発明の目的は、対象物の配列に従って配置された投稿情報を含む出力情報を提供することである。
【課題を解決するための手段】
【０００６】
本発明の実施形態の情報処理システムは、対象物に関連付けられた投稿情報を取得する情報取得手段と、対象物の配列に基づいて、前記取得した投稿情報の配列を決定する配列決定手段と、前記決定した配列に従って配置された投稿情報を含む出力情報を出力する出力制御手段と、を備える。
【発明の効果】
【０００７】
本発明によれば、対象物の配列に従って配置された投稿情報を含む出力情報を提供することができる。
【図面の簡単な説明】
【０００８】
【図１】本実施形態の情報処理システム１の構成を示すブロック図。
【図２】本実施形態の情報処理のシーケンス図。
【図３】本実施形態のＳ１−３０の説明図。
【図４】本実施形態の更新リクエストのデータ構造を示す図。
【図５】本実施形態の出力情報処理のフローチャート。
【図６】本実施形態の投稿情報ＤＢのデータ構造を示す図。
【図７】本実施形態のＳ１−１０２の説明図。
【図８】本実施形態のＳ１−１０４の説明図。
【図９】本実施形態のＳ１−３２の第１例の説明図。
【図１０】本実施形態のＳ１−３２の第２例の説明図。
【図１１】本実施形態のＳ１−３２の第３例の説明図。
【発明を実施するための形態】
【０００９】
本実施形態について、図面を参照して説明する。
【００１０】
本実施形態の情報処理システム１の構成について説明する。図１は、本実施形態の情報処理システム１の構成を示すブロック図である。
【００１１】
図１に示すように、情報処理システム１は、サーバ１０と、端末装置３０と、ネットワーク５０と、を備える。サーバ１０および端末装置３０は、ネットワーク５０を介して互いに通信可能である。サーバ１０の数は、１台であってもよいし、複数台であってもよい。端末装置３０の数は、１台であってもよいし、複数台であってもよい。ネットワーク５０は、有線ネットワークであってもよいし、無線ネットワークであってもよい。サーバ１０と端末装置３０との間の通信は、ネットワーク５０以外の媒体（例えば、ＵＳＢ（Ｕｎｉｖｅｒｓａｌ  Ｓｅｒｉａｌ  Ｂｕｓ）等のデータバスケーブル、又はＳＤ（Ｓｅｃｕｅｒｅ  Ｄｉｇｉｔａｌ）カード等のリムーバルメディア）を介して行われてもよい。
【００１２】
サーバ１０は、サーバ制御部１２と、サーバ記憶部１４と、サーバ通信部１６と、を備える。
【００１３】
サーバ制御部１２は、サーバ通信制御部１２０と、サーバ情報取得部１２１と、サーバ出力制御部１２２と、対象物特定部１２４と、配列決定部１２６と、を備える。サーバ制御部１２の各部については、後述する。
【００１４】
サーバ記憶部１４には、サーバ制御部１２が取り扱うデータが記憶される。例えば、サーバ記憶部１４には、道路ネットワークを示す道路ネットワーク情報（道路ネットワークＤＢ（Ｄａｔａ  Ｂａｓｅ））と、駅を経由する交通機関の交通ネットワークおよび運行情報を示す交通ネットワーク情報（交通ネットワークＤＢ）と、道路ネットワークおよび交通ネットワークの少なくとも１つに関連付けられた施設を示す施設情報（施設情報ＤＢ）と、投稿情報が格納された投稿情報ＤＢと、サーバ制御部１２が実行可能なアプリケーションと、が記憶される。
【００１５】
サーバ通信部１６は、サーバ１０とネットワーク５０との間の通信インタフェースである。
【００１６】
端末装置３０は、端末制御部３２と、端末記憶部３４と、端末通信部３６と、操作部３８と、測位部４０と、表示部４２と、を備える。例えば、端末装置３０は、デスクトップコンピュータ、ノートブックコンピュータ、携帯電話、スマートフォン、タブレット端末、又はカーナビゲーション装置である。
【００１７】
端末制御部３２は、端末通信制御部３２０と、端末情報取得部３２１と、端末出力制御部３２２と、リクエスト発行部３２４と、を備える。端末制御部３２の各部については、後述する。
【００１８】
端末記憶部３４には、端末制御部３２が取り扱うデータが記憶される。例えば、端末記憶部３４には、ユーザ情報と、端末制御部３２が実行可能なアプリケーションと、が記憶される。
【００１９】
端末通信部３６は、端末装置３０とネットワーク５０との間の通信インタフェースである。
【００２０】
操作部３８は、ユーザから、ユーザ指示を受け付ける。例えば、操作部３８は、タッチパネルである。この場合には、ユーザは、タッチパネルを用いて所定の操作（例えば、タッチ又はスワイプ）を行うことにより、端末装置３０にユーザ指示を与える。操作部３８は、ユーザが行った操作に応じて、ユーザ指示を受け付ける。
【００２１】
測位部４０は、測位情報を取得する。測位情報は、端末装置３０の測位位置を示す測位位置情報と、端末装置３０の測位方位を示す測位方位情報と、を含む。例えば、測位部４０は、ＧＰＳ（Ｇｌｏｂａｌ  Ｐｏｓｉｔｉｏｎｉｎｇ  Ｓｙｓｔｅｍ）レシーバである。
【００２２】
表示部４２は、様々な情報を表示する。例えば、表示部４２は、液晶ディスプレイ又は有機ＥＬ（Ｅｌｅｃｔｒｏｌｕｍｉｎｅｓｃｅｎｃｅ）ディスプレイである。なお、操作部３８および表示部４２は、一体のモジュール（例えば、タッチパネル型ディスプレイ）であってもよい。
【００２３】
なお、サーバ記憶部１４および端末記憶部３４は、それぞれ、サーバ１０および端末装置３０の外部に設けられ、ネットワーク５０を介して、サーバ１０および端末装置３０と接続されてもよい。
【００２４】
本実施形態の情報処理について説明する。図２は、本実施形態の情報処理のシーケンス図である。図２の情報処理は、端末制御部３２が情報処理アプリケーションを起動したときに開始される。情報処理アプリケーションとは、コンピュータに情報処理を実行させるためのコンピュータプログラムである。
【００２５】
＜Ｓ１−３０＞  端末装置３０が、更新リクエストを発行する。
【００２６】
図３は、本実施形態のＳ１−３０の説明図である。
【００２７】
例えば、表示部４２に、図３の投稿情報表示画面が表示されているときに、ユーザが更新アイコン３８ａ（操作部３８および表示部４２により実現される指示受付手段）を操作（例えば、タッチ）すると、端末情報取得部３２１が、更新指示を取得する。
【００２８】
なお、端末情報取得部３２１は、ユーザが更新アイコン３８ａを操作したことをトリガーにして更新指示を取得するのではなく、ユーザが投稿情報表示画面を所定方向にスワイプしたことをトリガーにして更新指示を取得してもよい。
【００２９】
次いで、リクエスト発行部３２４が、更新指示を含む更新リクエストを発行する。
【００３０】
図４は、本実施形態の更新リクエストのデータ構造を示す図である。
【００３１】
図４に示すように、更新リクエストは、ユーザＩＤ（Ｉｄｅｎｔｉｆｉｃａｔｉｏｎ）と、最終更新日時と、が含まれる。ユーザＩＤとは、端末装置３０のユーザを識別する情報である。最終更新日時とは、端末装置３０が直近の更新リクエストを発行した日時、または、端末装置３０が当該直近の更新リクエストに対応する出力情報を取得した日時である。
【００３２】
Ｓ１−３０が終了すると、図２に示すように、端末通信制御部３２０が、端末通信部３６およびネットワーク５０を介して、更新リクエストをサーバ１０に送信する。
【００３３】
＜Ｓ１−１０＞  端末装置３０から更新リクエストが送信されると、サーバ１０が、出力情報作成処理を実行する。
【００３４】
本実施形態の出力情報処理について説明する。図５は、本実施形態の出力情報処理のフローチャートである。
【００３５】
＜Ｓ１−１００＞  サーバ情報取得部１２１が、更新リクエストに基づいて、サーバ記憶部１４の投稿情報ＤＢから、更新用の投稿情報（すなわち、端末装置３０に送信されていない投稿情報）を取得する。
【００３６】
図６は、本実施形態の投稿情報ＤＢのデータ構造を示す図である。
【００３７】
図６に示すように、投稿情報ＤＢには、複数の投稿情報と、投稿情報管理テーブルと、が格納されている。
【００３８】
各投稿情報は、投稿ＩＤと、投稿ＩＤに関連付けられた情報（投稿内容、投稿日時、および投稿位置情報）と、を含む。投稿ＩＤとは、投稿情報を識別する情報である。投稿内容とは、文字、画像、動画、およびＵＲＬ（Ｕｎｉｆｏｒｍ  Ｒｅｓｏｕｒｃｅ  Ｌｏｃａｔｏｒ）の少なくとも１つを含む情報である。投稿日時とは、投稿情報が投稿された日時（例えば、端末装置３０が投稿情報を取得した日時、または、投稿情報が投稿情報ＤＢに格納された日時）を示す情報である。投稿位置情報とは、投稿情報が投稿された位置（以下「投稿位置」という）（例えば、端末装置３０が投稿情報を取得したときの測位位置）を示す情報である。
【００３９】
投稿情報管理テーブルは、端末装置３０に提供すべき投稿情報を管理する情報である。投稿情報管理テーブルは、ユーザＩＤと、ユーザＩＤに関連付けられた情報（送信リスト）と、を含む。送信リストは、更新用の投稿情報の投稿ＩＤを示す情報である。
【００４０】
更新用の投稿情報とは、投稿情報ＤＢに格納された全ての投稿情報のうち、更新リクエストに含まれるユーザＩＤに関連付けられた送信リストに含まれており、かつ、更新リクエストに含まれる最終更新日時以降の投稿日時を有する投稿情報である。
【００４１】
なお、更新リクエストが、ユーザが指定した対象物を示す対象物情報をさらに含む場合には、サーバ情報取得部１２１は、対象物情報に対応する投稿情報を取得してもよい。例えば、更新リクエストが、ユーザが指定した駅名を示す情報をさらに含む場合には、サーバ情報取得部１２１は、投稿内容に駅名が含まれる投稿情報を取得してもよい。
【００４２】
＜Ｓ１−１０２＞  対象物特定部１２４が、Ｓ１−１００で取得された更新用の投稿情報ごとに、対象物を特定する。対象物とは、更新用の投稿情報に関連付けられた物（例えば、道路上の建物および交通機関の駅などの施設）である。
【００４３】
例えば、対象物特定部１２４は、投稿内容（例えば、文字列（すなわち、キーワード））および投稿位置情報の少なくとも１つに基づいて、投稿情報に関連付けるべき対象物を特定する。
【００４４】
図７は、本実施形態のＳ１−１０２の説明図である。
【００４５】
図７（Ａ）の投稿情報は、投稿ＩＤ「００１」であり、投稿内容「Ａ駅にいるよ」であり、投稿日時「２０１２／０１／０１  １２：００」であり、投稿位置情報「Ｘ１，Ｙ１」である。この投稿情報は、２０１２年１月１日１２時００分に、（Ｘ１，Ｙ１）で特定される位置で、ユーザが「Ａ駅にいるよ」というメッセージを投稿したものである。
【００４６】
投稿内容に基づいて対象物を特定する場合には、図７（Ｂ）に示すように、対象物特定部１２４は、施設情報ＤＢから、投稿内容である文書「Ａ駅にいるよ」を構成する文字列「Ａ駅」をキーワードとして用いて、該当する施設名「Ａ駅」を含むレコード（施設ＩＤ「００Ａ」）に対応する施設を、対象物として特定する。
【００４７】
投稿位置に基づいて対象物を特定する場合には、図７（Ｃ）に示すように、対象物特定部１２４は、施設情報ＤＢから、投稿位置情報「Ｘ１，Ｙ１」が示す投稿位置に最も近い施設位置を示す施設位置情報「Ｘｂ，Ｙｂ」を含むレコード（施設ＩＤ「００Ｂ」）に対応する施設を、対象物として特定する。
【００４８】
なお、更新リクエストが対象物情報を含む場合には、サーバ情報取得部１２１は、対象物情報に基づいて、対象物を特定する。例えば、更新リクエストが、ユーザが指定した駅名「Ａ駅」を示す情報をさらに含む場合には、サーバ情報取得部１２１は、施設名「Ａ駅」を含むレコード（施設ＩＤ「００Ａ」）に対応する施設（すなわち、Ａ駅）を、対象物として特定する。
【００４９】
＜Ｓ１−１０４＞  サーバ情報取得部１２１が、サーバ記憶部１４から、Ｓ１−１０２で特定した対象物に関連付けられたグループ情報を取得する。
【００５０】
図８は、本実施形態のＳ１−１０４の説明図である。
【００５１】
図８に示すように、交通ネットワークＤＢは、路線ＩＤと、路線ＩＤに関連付けられた路線情報（路線名、駅リスト、おおび運行情報）と、を含むレコードで構成されている。サーバ情報取得部１２１は、Ｓ１−１０２で特定した対象物に対応する駅リストを含むレコードが示す情報を、グループ情報として取得する。例えば、Ｓ１−１０２で特定した対象物がＡ駅である場合には、駅リストに「Ａ」が含まれるレコード（路線ＩＤ「Ｌ００１」）の路線情報を、グループ情報として取得する。
【００５２】
＜Ｓ１−１０６＞  配列決定部１２６が、Ｓ１−１０２で特定した対象物の配列に基づいて、Ｓ１−１００で取得した更新用の投稿情報の配列を決定する。
【００５３】
対象物の配列は、道路ネットワーク、駅を経由する交通機関の交通ネットワーク、および交通機関の運行情報の少なくとも１つによって決まる。例えば、駅の配列は、駅の緯度および経度によって決まる。
【００５４】
＜Ｓ１−１０８＞  サーバ出力制御部１２２が、Ｓ１−１０６で決定した配列に従って配置された投稿情報を含む出力情報を出力する。
【００５５】
例えば、サーバ出力制御部１２２は、Ｓ１−１０２で特定した対象物が駅である場合には、Ａ駅の施設位置情報（Ｘａ，Ｙａ）の近傍を示す投稿位置情報を含む投稿情報を、Ａ駅に関連付けるべき投稿情報として配置し、かつ、Ｂ駅の位置（Ｘｂ，Ｙｂ）の近傍を示す投稿位置情報を含む投稿情報を、Ｂ駅に関連付けるべき投稿情報として配置することにより、出力情報を作成する。
【００５６】
次いで、サーバ通信制御部１２０が、サーバ通信部１６およびネットワーク５０を介して、作成した投稿情報（すなわち、Ｓ１−１０６で決定した配列に従って配置された投稿情報を含む情報）を端末装置３０に送信する。
【００５７】
＜Ｓ１−３２＞  サーバ１０から出力情報が送信されると、端末装置３０が、表示部４２に出力情報を表示する。
【００５８】
図９は、本実施形態のＳ１−３２の第１例の説明図である。
【００５９】
図９に示すように、端末出力制御部３２２は、対象物である駅の位置によって決まる第１系列に基づいて投稿情報を配置し、第１系列から独立してグループ情報（運行情報）を配置することにより、出力情報である投稿情報表示画面を作成する。これにより、ユーザは、駅ごとに関連する投稿情報と、全ての駅（すなわち、路線）に共通する運行情報（グループ情報）と、を容易にチェックすることができる。
【００６０】
図１０は、本実施形態のＳ１−３２の第２例の説明図である。
【００６１】
図１０に示すように、端末出力制御部３２２は、対象物である駅の位置によって決まる第１系列と、投稿日時によって決まる第２系列と、に基づいて投稿情報を配置し、かつ、第１系列および第２系列から独立してグループ情報（運行情報）を配置することにより、出力情報である投稿情報表示画面を作成する。特に、複数の投稿情報の投稿日時が同一の日時に該当する場合には、複数の投稿情報が該当することが視覚的に（例えば、重畳的に）表現される。ユーザが第２系列の任意の日時を選択すると、端末出力制御部３２２は、選択された日時に対応する全ての投稿情報を展開する。これにより、ユーザは、駅ごとに関連する投稿情報を、時系列順にチェックすることができる。また、ユーザは、全ての駅（すなわち、路線）に共通する運行情報（グループ情報）も容易にチェックすることができる。
【００６２】
図１１は、本実施形態のＳ１−３２の第３例の説明図である。
【００６３】
図１１に示すように、端末出力制御部３２２は、対象物である駅の位置によって決まる第１系列と、路線によって決まる第３系列と、に基づいて投稿情報を配置し、第３系列に応じた態様（色、形状、およびサイズ）で各投稿情報を区別可能に形成し、かつ、第１系列および第３系列から独立してグループ情報（運行情報）を配置することにより、出力情報である投稿情報表示画面を作成する。図１１では、同一のハッチングで示された投稿情報は、第３系列が同一であることを示している。これにより、ユーザは、駅ごとに関連する投稿情報を、路線ごとにチェックすることができる。また、ユーザは、全ての駅（すなわち、路線）に共通する運行情報（グループ情報）も容易にチェックすることができる。
【００６４】
なお、図９〜１１では、連続するＡ駅〜Ｅ駅の配列に従って配置された投稿情報を含む投稿情報表示画面の例について説明したが、端末出力制御部３２２は、運行情報に対応する路線種別（例えば、急行列車）に対応する駅（例えば、急行列車の停車駅）の配列に従って配置された投稿情報を含む投稿情報表示画面を作成してもよい。
【００６５】
また、端末出力制御部３２２は、Ｓ１−１０２で特定した対象物のうち、端末装置３０が更新リクエストを発行したときの測位位置（例えば、ユーザの現在位置）に最も近い対象物を中心とする配列に従って配置された投稿情報を含む投稿情報表示画面を作成してもよい。
【００６６】
また、端末出力制御部３２２は、端末装置３０が更新リクエストを発行したときの測位位置（例えば、ユーザの現在位置）、ならびにユーザの移動経路の出発地、経由地、および目的地の何れかに最も近い対象物の何れかに到着する路線ごとに配置された投稿情報を含む投稿情報表示画面を作成してもよい。
【００６７】
また、端末出力制御部３２２は、対象物の位置に加えて、対象物に付与された識別情報（例えば、施設ＩＤまたは路線ＩＤ）、位置情報（例えば、施設位置情報）、および交通ネットワーク内における接続順を示す情報の少なくとも１つで決まる配列に従って配置された投稿情報を含む投稿情報表示画面を作成してもよい。
【００６８】
また、上述の実施形態では、主に、交通機関（特に、鉄道）の例について説明したが、鉄道以外の交通機関（例えば、バス、飛行機、船、またはタクシー）、および道路（例えば、徒歩、自転車、または自動車の道路ネットワーク）についても、同様に適用可能である。
【００６９】
例えば、道路の場合には、サーバ出力制御部１２は、ＰＯＩ（Ｐｏｉｎｔ  Ｏｆ  Ｉｎｔｅｒｅｓｔ）（例えば、サービスエリア、パーキングエリア、およびインターチェンジ）、ならびにガイダンスポイントの少なくとも１つの配列に従って配置された投稿情報を含む出力情報を出力してもよい。
【００７０】
本実施形態によれば、対象物の配列に従って配置された投稿情報を含む出力情報を提供することができる。特に、注目駅および隣接駅を含む路線全体を見渡せるような態様で、駅に対応する投稿情報を提供することができる。
【００７１】
本実施形態に係る情報処理システム１の少なくとも一部は、ハードウェアで構成してもよいし、ソフトウェアで構成してもよい。ソフトウェアで構成する場合には、情報処理システム１の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００７２】
また、本実施形態に係る情報処理システム１の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００７３】
なお、本発明は、上述した実施形態に限定されるものではなく、その要旨を逸脱しない範囲で構成要素を変形して具体化される。また、上述した実施形態に開示されている複数の構成要素の適宜な組み合わせにより、種々の発明が形成可能である。例えば、上述した実施形態に示される全構成要素から幾つかの構成要素を削除してもよい。さらに、異なる実施形態にわたる構成要素を適宜組み合わせてもよい。
【符号の説明】
【００７４】
１  情報処理システム
１０  サーバ
１２  サーバ制御部
１２０  サーバ通信制御部
１２１  サーバ情報取得部
１２２  サーバ出力制御部
１２４  対象物特定部
１２６  配列決定部
１４  サーバ記憶部
１６  サーバ通信部
３０  端末装置
３２  端末制御部
３２０  端末通信制御部
３２１  端末情報取得部
３２２  端末出力制御部
３２４  リクエスト発行部
３４  端末記憶部
３６  端末通信部
３８  操作部
４０  測位部
４２  表示部
【図１】
2014075087.tif 000003
【図２】
2014075087.tif 000004
【図３】
2014075087.tif 000005
【図４】
2014075087.tif 000006
【図５】
2014075087.tif 000007
【図６】
2014075087.tif 000008
【図７】
2014075087.tif 000009
【図８】
2014075087.tif 000010
【図９】
2014075087.tif 000011
【図１０】
2014075087.tif 000012
【図１１】
2014075087.tif 000013